(57)【要約】      （修正有）【課題】水平に設置することを補助する安価かつ簡易な機構を備える画像表示装置を提供する。【解決手段】所定の画像を表示可能な表示部１０と、ケーブル（電源ケーブル、または水平調整ケーブル）を固定可能なケーブル固定部４０と、前記表示部が水平に配置されたときに、前記ケーブル固定具に固定された前記ケーブル（電源ケーブル、または水平調整ケーブル）が重力方向に延びていることを示唆可能なガイド部（水平ガイド部３０）と、を備えることを特徴とする画像表示装置を提供する。【選択図】図１
2015194514.tif 000002
【特許請求の範囲】
【請求項１】
所定の画像を表示可能な表示部と、
ケーブルを固定可能なケーブル固定部と、
前記表示部が水平に配置されたときに、前記ケーブル固定具に固定された前記ケーブルが重力方向に延びていることを示唆可能なガイド部と、
を備えることを特徴とする画像表示装置。
【請求項２】
前記ケーブルは、電圧変換部を接続可能な電源ケーブルである
ことを特徴とする請求項１に記載の画像表示装置。
【請求項３】
前記ケーブルは、おもりを備える水平調整ケーブルである
ことを特徴とする請求項１に記載の画像表示装置。
【請求項４】
仮固定ケーブルを接続可能な仮固定ケーブル接続部をさらに備える
ことを特徴とする請求項１乃至請求項３のいずれか１項に記載の画像表示装置。
【発明の詳細な説明】
【技術分野】
【０００１】
本発明の一態様は、壁掛け型の画像表示装置などに関する。
【背景技術】
【０００２】
近年、液晶表示パネルを備えた軽量薄型の画像表示装置が普及している。これらの軽量薄型の画像表示装置は更なる軽量化及び薄型化が進んでおり、壁掛け型の画像表示装置がさらに普及しつつある。例えば、石膏ボードに画像表示装置の壁掛け金具をホッチキスで固定可能な製品も提案されている。
【０００３】
しかしながら、このような壁掛け型の画像表示装置では、正確に水平に設置することが容易ではなかった。上記の、壁掛け金具をホッチキスで固定可能な画像表示装置の場合、壁掛け金具の設置自体は容易であるものの、水平に設置することが容易ではなかった。そこで、画像表示装置を正確に水平に設置することを補助するため、特許文献１には、水準器を配設された薄型表示装置に関する技術が開示されている。
【先行技術文献】
【特許文献】
【０００４】
【特許文献１】特開２００７−１７８１４８
【発明の概要】
【発明が解決しようとする課題】
【０００５】
しかしながら、従来の技術では、画像表示装置を水平に設置することを補助する機構を安価かつ簡易な手段で提供できていなかった。特許文献１に記載の技術では、設置時だけのためにわざわざ水準器を搭載させる必要があり、コストが高くなるという課題があった。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の手段１は、
所定の画像を表示可能な表示部（１０）と、
ケーブル（電源ケーブル６０、または水平調整ケーブル６１）を固定可能なケーブル固定部（４０または４１）と、
前記表示部が水平に配置されたときに、前記ケーブル固定具に固定された前記ケーブル（電源ケーブル６０、または水平調整ケーブル６１）が重力方向に延びていることを示唆可能なガイド部（水平ガイド部３０）と、
を備えることを特徴とする画像表示装置である。
【０００８】
上記構成の画像表示装置によれば、設置後には電源電圧の供給のために用いるケーブルを利用して、ユーザが画像表示装置を水平に設置する補助をできるようになる。これにより、安価かつ簡便な構成で、画像表示装置を水平に設置することを補助する機構を提供することが可能となる。
【０００９】
本発明の手段２は、
前記ケーブルは電圧変換部（ＡＣアダプタ７０）を接続可能な電源ケーブル（６０）である
ことを特徴とする手段１の画像表示装置である。
【００１０】
上記構成の画像表示装置によれば、電源ケーブルの先におもりとして電圧変換部（ＡＣアダプタ７０）を接続することが可能となり、より正確に画像表示装置を水平に設置することを補助する機構を提供することができる。
【００１１】
本発明の手段３は、
前記ケーブルは、おもり（７１）を備える水平調整ケーブル（６１）である
ことを特徴とする手段１の画像表示装置である。
【００１２】
上記構成の画像表示装置によれば、電源ケーブルとは別の水平設置用の水平調整ケーブル（６１）を備え、この水平調整ケーブルを利用して、ユーザによる画像表示装置の水平設置を補助可能となる。これにより、電源ケーブルよりも水平設置の補助に最適なケーブルを利用しつつ、安価かつ簡便な手段で、画像表示装置を水平に設置することを補助する機構を提供することが可能となる。
【００１３】
本発明の手段４は、
仮固定ケーブル（８０）を接続可能な仮固定ケーブル接続部（５０）をさらに備える
ことを特徴とする手段１乃至手段３のいずれかの画像表示装置である。
【００１４】
上記構成の画像表示装置によれば、設置時に画像表示装置を仮固定可能な仮固定ケーブルを利用可能であるため、画像表示装置の設置をより簡単にすることが可能となる。
【図面の簡単な説明】
【００１５】
【図１】画像表示装置の外観図。
【図２】ケーブル固定部の拡大図。
【図３】設置作業中の画像表示装置の外観図。
【図４】設置作業中の画像表示装置の外観図。
【図５】設置作業中の画像表示装置の外観図。
【図６】実施形態２における画像表示装置の外観図。
【発明を実施するための形態】
【００１６】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）画像表示装置の構成例
（２）画像表示装置の設置例
（３）画像表示装置の特徴
２．実施形態２
３．補足事項
【００１７】
＜１．実施形態１＞
まず、本発明の実施形態１について、図１及び図５を参照しながら説明する。
【００１８】
＜（１）画像表示装置の構成例＞
図１は、本実施形態の画像表示装置の外観を示す図である。図１（ａ）は画像表示装置を正面（ユーザが視聴する面）から見た図、図１（ｂ）は画像表示装置を裏面から見た図である。図１（ａ）及び（ｂ）に示すように、画像表示装置は、表示部１０、仮枠２０、水平ガイド部３０、ケーブル固定部４０、及び仮固定ケーブル接続部５０を含んで構成される。
【００１９】
＜表示部１０＞
表示部１０は、ＬＣＤまたは有機ＥＬなどによって構成され、放送されるプログラムまたはＤＶＤのコンテンツなどの画像を表示可能に構成される。
【００２０】
＜仮枠２０＞
仮枠２０は、表示部１０を保持可能に構成され、ホッチキス針を利用して壁に固定可能に構成される。仮枠２０には、特定のホッチキス針穴の幅で、アレイ状の穴が形成されている。
【００２１】
＜水平ガイド部３０＞
水平ガイド部３０は、表示部１０が正確に水平に設置されたときに、重力方向に直線になるよう印刷されたマークで構成される。すなわち、水平ガイド部３０は、表示部１０が水平に設置されたときに、後述の電源ケーブル６０が重力方向に延びていることを示唆可能に構成されている。
【００２２】
＜ケーブル固定部４０＞
ケーブル固定部４０は、画像表示装置において、画像表示装置の裏面（表示部１０が配置された面とは反対の面）の、上部中央に形成され（図１（ｂ）参照）、後述の電源ケーブル６０を固定可能に構成される。
【００２３】
図２は、ケーブル固定部４０の構成例を示す図である。図２には、ケーブル固定部４０の上面図、及び側面図が示されている。図２に示すように、ケーブル固定部４０は、電源ケーブル６０を左右から固定する樹脂で構成された固定具を含んで構成される。ケーブル固定部４０は、この左右の固定具によって、電源ケーブル６０を繰り返し固定可能に構成される。
【００２４】
＜仮固定ケーブル接続部５０＞
仮固定ケーブル接続部５０は、画像表示装置の裏面（表示部１０が配置される面とは反対の面）の、上部左右にそれぞれ形成され、画像表示装置を設置する際に用いる仮固定ケーブルを接続可能に構成される。
【００２５】
＜（２）画像表示装置の設置例＞
次に、図３乃至図５を参照しながら、本実施形態の画像表示装置を設置する方法について、具体的に説明する。
【００２６】
図３は、ユーザが画像表示装置を設置している状態を示す図である。ユーザが画像表示装置を設置する際、まず、画像表示装置の仮固定ケーブル接続部５０に、設置時専用の仮固定ケーブル８０を取り付ける。そして、ユーザは、仮固定ケーブル８０を、壁に設置したフック状の吊り下げ具（図示せず）に吊り下げる。仮固定ケーブル６０は、画像表示装置を保持可能な強度のひもで構成される。次に、ユーザは、電源入力端子に接続された電源ケーブル６０をケーブル固定部４０で固定する。図３に示すように、電源ケーブル６０にはＡＣアダプタ７０が接続されており、電源ケーブル６０は、ＡＣアダプタ７０をおもりとするように、表示部１０の前に吊り下げられる。電源ケーブル６０は、図３に示すように、表示部１０の前に吊り下げられた状態で、ＡＣアダプタ７０との接続部が仮枠２０よりも下部になる長さを持つよう構成される。
【００２７】
電源ケーブル６０は、画像表示装置を動作させるときには、画像表示装置の電源入力端子（図示せず）に接続される。ＡＣアダプタ７０は、電源ケーブル６０とは別の、家庭用電源に差し込み可能なプラグを備えるケーブルを接続可能に構成されている。ＡＣアダプタ７０は、家庭用電源から供給される所定の交流電圧（例えば１００Ｖ、６０Ｈｚの交流電圧）を、所定の直流電圧（例えば２４Ｖの直流電圧）に変換可能に構成されている。ＡＣアダプタ７０には、例えば、長さ方向の中央部に電源ケーブル６０が接続されており、図３に示すように、ＡＣアダプタ７０は、吊り下げられた状態で水平方向に垂直にバランスが取れるよう構成されている。
【００２８】
ここで、ユーザは、電源ケーブル６０と水平ガイド部３０のマークとを見比べ、電源ケーブル６０が重力方向に延びているか否かを確認する。図３に示すように、電源ケーブル６０と水平ガイド部３０のマークとが直線状に並んでいた場合には、表示部１０が水平に配置されていることが示される。
【００２９】
図４は、表示部１０が水平に配置されていない状態の画像表示装置を示す図である。図４に示すように、電源ケーブル６０と水平ガイド部３０のマークとが直線状に並んでいない場合には、表示部１０は水平に配置されていないため、ユーザは、仮固定ケーブル８０の吊り下げ位置を変更し、電源ケーブル６０と水平ガイド部３０のマークとが直線状に並ぶよう調整する。
【００３０】
上記の処理で、表示部１０が水平に配置された状態になったら、図５（ａ）に示すように、ユーザは、仮枠２０の上部の左右端の２か所を、ホッチキス針で壁に固定する。これによって、画像表示装置が左右に揺れて、水平設置状態が変化してしまうことを避けることができる。その後、ユーザは、仮枠２０の上部から順に、ホッチキス針で画像表示装置を壁に固定していく。仮枠２０に設けられたホッチキス針穴のすべてにおいて、ホッチキス針による画像表示装置の壁への固定が完了したら、ユーザは、電源ケーブル６０をケーブル固定部４０から取り外し、仮固定ケーブル８０を画像表示装置から取り外す（図５（ｂ）参照）。そして、ユーザは、画像表示装置の正面（表示部１０が配置された面）から、カバー１００を取り付ける。このような処理を経て、画像表示装置を、表示部１０が適切に水平になるよう、壁に固定することができる。
【００３１】
＜（３）画像表示装置の特徴＞
以上、説明したような構成の画像表示装置によって、壁に固定設置可能な画像表示装置を提供することができる。すなわち、本実施形態の画像表示装置は以下のような特徴を持つ。
【００３２】
本実施形態の画像表示装置は、所定の画像を表示可能な表示部１０と、ケーブル（電源ケーブル６０）を固定可能なケーブル固定部４０と、表示部１０が水平に配置されたときに、ケーブル固定部４０に固定されたケーブル（電源ケーブル６０）が重力方向に延びていることを示唆可能なガイド部（水平ガイド部３０）と、を備えることを特徴とする画像表示装置である。
【００３３】
上記構成の画像表示装置によれば、設置後には電源電圧の供給のために用いるケーブル（電源ケーブル６０）を利用して、ユーザが画像表示装置を水平に設置する補助をできるようになる。これにより、安価かつ簡便な手段で、画像表示装置を水平に設置することを補助する機構を提供することが可能となる。
【００３４】
また、本実施形態の画像表示装置は、ケーブルは、電圧変換部（ＡＣアダプタ７０）を接続可能な電源ケーブル６０であることを特徴としている。
【００３５】
上記構成の画像表示装置によれば、電源ケーブル６０の先におもりとして電圧変換部（ＡＣアダプタ７０）を接続することが可能となり、より正確に、画像表示装置を水平に設置することを補助する機構を提供することができる。
【００３６】
また、本実施形態の画像表示装置は、仮固定ケーブル８０を接続可能な仮固定ケーブル接続部５０をさらに備えることを特徴としている。
【００３７】
上記構成の画像表示装置によれば、設置時に画像表示装置を仮固定可能な仮固定ケーブル８０を利用可能であるため、画像表示装置の設置をより簡単にすることが可能となる。
【００３８】
また、上記実施形態において、仮枠２０の上部中央に、電源ケーブル６０を誘導可能なＶ字状の溝を形成する構成にすることが好ましい。この構成によれば、電源ケーブル６０を、ずれることなく画像表示装置の中央から吊り下げられた状態にすることができる。なお、このＶ字状の溝は、ケーブルをガイドする別の機構に置き換えてもよい。
【００３９】
＜２．実施形態２＞
次に、本発明の実施形態２について、図６を参照しながら説明する。本実施形態は、実施形態１と比較して、ケーブル固定部４０がケーブル固定部４１に、電源ケーブル６０及びＡＣアダプタ７０が水平調整ケーブル６１及びおもり７１に、それぞれ置き換えられている点で相違する。以下の説明では、実施形態１との相違点についてのみ具体的に説明し、実施形態１と同様の構成や機能についてはその説明を省略する。
【００４０】
＜ケーブル固定部４１＞
ケーブル固定部４１は、画像表示装置の表示部１０が配置された面とは反対の面の、上部中央に形成され（図６（ｂ）参照）、水平調整ケーブル６１が固定されて構成される。
【００４１】
＜水平調整ケーブル６１＞
水平調整ケーブル６１は、図６に示すように、ケーブル固定部４１に固定されており、端部にはおもり７１が接続されて構成される。水平調整ケーブル６１は、図６に示すように、表示部１０の前に吊り下げられた状態で、ＡＣアダプタ７０との接続部が仮枠２０よりも下部になる長さを持つよう構成される。
【００４２】
＜おもり７１＞
おもり７１は、上記のように水平調整ケーブル６１の端部に接続され、吊り下げられた状態で水平方向に垂直にバランスが取れるよう構成されている。
【００４３】
画像表示装置の設置については、実施形態１と同様に行われるが、ケーブル固定部４０がケーブル固定部４１に、電源ケーブル６０及びＡＣアダプタ７０が水平調整ケーブル６１及びおもり７１に、それぞれ置き換えられた点で相違する。
【００４４】
以上、説明したような構成の画像表示装置によって、壁に固定設置可能な画像表示装置を提供することができる。すなわち、本実施形態の画像表示装置は以下のような特徴を持つ。
【００４５】
本実施形態の画像表示装置は、所定の画像を表示可能な表示部１０と、ケーブル（水平調整ケーブル６１）を固定可能なケーブル固定部４１と、表示部１０が水平に配置されたときに、ケーブル固定部４１に固定されたケーブル（水平調整ケーブル６１）が重力方向に延びていることを示唆可能なガイド部（水平ガイド部３０）と、を備え、ケーブル（水平調整ケーブル６１）は、おもり７１を備える水平調整ケーブル６１であることを特徴としている。
【００４６】
上記構成の画像表示装置によれば、電源ケーブル６０とは別の水平設置用の水平調整ケーブル６１を備え、この水平調整ケーブル６１を利用して、ユーザによる画像表示装置の水平設置を補助可能となる。これにより、電源ケーブル６０よりも水平設置の補助に最適な水平調整ケーブル６１を利用しつつ、安価かつ簡便な手段で、画像表示装置を水平に設置することを補助する機構を提供することが可能となる。
【００４７】
なお、本実施形態の画像表示装置では、水平調整ケーブル６１及びおもり７１を格納可能な収納部をさらに備えることが好ましい。この構成によれば、設置時にのみ水平調整ケーブル６１及びおもり７１を利用し、その後は容易に収納することができる。
【００４８】
＜３．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００４９】
上記実施形態において、電源ケーブル６０に代えて、例えばＬＡＮケーブル、または映像信号入力用ケーブルを用いてもよい。
【００５０】
また、上記実施形態において、仮枠２０は、ホッチキスではなくその他の固定具を使って壁に直接固定する構成としてもよい。
【００５１】
また、仮枠２０は、壁に直接固定するのではなく、専用の壁掛け金具に固定することで、間接的に壁に固定する構成であってもよい。
【００５２】
また、設置時に画像表示装置を仮固定するために仮固定ケーブル８０を用いる例について説明したが、仮固定ケーブル８０に代えて、ネジなどの仮固定具を用いてもよい。この場合、ユーザは、画像表示装置の左上などの一端を仮固定具で固定しつつ表示部１０を水平にし、水平になったときに右上などの他端を仮固定具で固定し、その後ホッチキスで画像表示装置を壁に固定することで、画像表示装置の設置を行う。
【００５３】
また、上記実施形態のケーブル固定部４０は必ずしも必要ではなく、電源ケーブル６０が接続される電源入力端子を画像表示装置の中央部に配置してもよい。
【００５４】
また、水平ガイド部３０は、必ずしも専用のマークである必要はなく、製品のブランドロゴなどであってもよい。
【産業上の利用可能性】
【００５５】
本発明は、壁掛け型の画像表示装置などに好適に利用される。
【符号の説明】
【００５６】
１０…表示部
２０…仮枠
３０…水平ガイド部
４０…ケーブル固定部
４１…ケーブル固定部
５０…仮固定ケーブル接続部
６０…電源ケーブル
６１…水平調整ケーブル
７０…アダプタ
８０…仮固定ケーブル
１００…カバー
【図１】
2015194514.tif 000003
【図２】
2015194514.tif 000004
【図３】
2015194514.tif 000005
【図４】
2015194514.tif 000006
【図５】
2015194514.tif 000007
【図６】
2015194514.tif 000008